(57)【特許請求の範囲】
【請求項１】
映像信号を処理し、複数の出力設定を有する映像出力端子を介して出力する映像信号処理装置において、
前記映像出力端子の出力設定を判断する第１の判断手段と、
前記映像信号の入力フォーマットを判断する第２の判断手段と、
前記第1の判断手段により前記出力設定がD１設定と判断された場合、525iの出力フォーマットで出力し、
前記第1の判断手段により前記出力設定がD２設定と判断された場合、525pの出力フォーマットで出力し、
前記第1の判断手段により前記出力設定がD３設定と判断された場合、1125iの出力フォーマットで出力し、
前記第1の判断手段により前記出力設定がD４設定と判断された場合で、
１）  前記第２の判断手段により前記映像信号の入力フォーマットが525iであると判断された場合、1125iの出力フォーマットで出力し、
２）  前記第２の判断手段により前記映像信号の入力フォーマットが525pであると判断された場合、1125iの出力フォーマットで出力し、
３）  前記第２の判断手段により前記映像信号の入力フォーマットが1125iであると判断された場合、1125iの出力フォーマットで出力し、
４）  前記第２の判断手段により前記映像信号の入力フォーマットが750pであると判断された場合、750pの出力フォーマットで出力
するように制御する制御手段と
を備えることを特徴とする映像信号処理装置。
【請求項２】
映像信号を処理し、複数の出力設定を有する映像出力端子を介して出力する映像信号処理装置の映像信号処理方法において、
前記映像出力端子の出力設定を判断する第１の判断ステップと、
前記映像信号の入力フォーマットを判断する第２の判断ステップと、
前記第1の判断ステップの処理により前記出力設定がD１設定と判断された場合、525iの出力フォーマットで出力し、
前記第1の判断ステップの処理により前記出力設定がD２設定と判断された場合、525pの出力フォーマットで出力し、
前記第1の判断ステップの処理により前記出力設定がD３設定と判断された場合、1125iの出力フォーマットで出力し、
前記第1の判断ステップの処理により前記出力設定がD４設定と判断された場合で、
１）  前記第２の判断ステップの処理により前記映像信号の入力フォーマットが525iであると判断された場合、1125iの出力フォーマットで出力し、
２）  前記第２の判断ステップの処理により前記映像信号の入力フォーマットが525pであると判断された場合、1125iの出力フォーマットで出力し、
３）  前記第２の判断ステップの処理により前記映像信号の入力フォーマットが1125iであると判断された場合、1125iの出力フォーマットで出力し、
４）  前記第２の判断ステップの処理により前記映像信号の入力フォーマットが750pであると判断された場合、750pの出力フォーマットで出力
するように制御する制御ステップと
を含むことを特徴とする映像信号処理方法。
【請求項３】
映像信号を処理し、複数の出力設定を有する映像出力端子を介して出力する映像信号処理装置用のプログラムであって、
前記映像出力端子の出力設定を判断する第１の判断ステップと、
前記映像信号の入力フォーマットを判断する第２の判断ステップと、
前記第1の判断ステップの処理により前記出力設定がD１設定と判断された場合、525iの出力フォーマットで出力し、
前記第1の判断ステップの処理により前記出力設定がD２設定と判断された場合、525pの出力フォーマットで出力し、
前記第1の判断ステップの処理により前記出力設定がD３設定と判断された場合、1125iの出力フォーマットで出力し、
前記第1の判断ステップの処理により前記出力設定がD４設定と判断された場合で、
１）  前記第２の判断ステップの処理により前記映像信号の入力フォーマットが525iであると判断された場合、1125iの出力フォーマットで出力し、
２）  前記第２の判断ステップの処理により前記映像信号の入力フォーマットが525pであると判断された場合、1125iの出力フォーマットで出力し、
３）  前記第２の判断ステップの処理により前記映像信号の入力フォーマットが1125iであると判断された場合、1125iの出力フォーマットで出力し、
４）  前記第２の判断ステップの処理により前記映像信号の入力フォーマットが750pであると判断された場合、750pの出力フォーマットで出力
するように制御する制御ステップと
を含むことを特徴とするコンピュータが読み取り可能なプログラムが記録されている記録媒体。
【請求項４】
映像信号を処理し、複数の出力設定を有する映像出力端子を介して出力する映像信号処理装置のコンピュータに、
前記映像出力端子の出力設定を判断する第１の判断ステップと、
前記映像信号の入力フォーマットを判断する第２の判断ステップと、
前記第1の判断ステップの処理により前記出力設定がD１設定と判断された場合、525iの出力フォーマットで出力し、
前記第1の判断ステップの処理により前記出力設定がD２設定と判断された場合、525pの出力フォーマットで出力し、
前記第1の判断ステップの処理により前記出力設定がD３設定と判断された場合、1125iの出力フォーマットで出力し、
前記第1の判断ステップの処理により前記出力設定がD４設定と判断された場合で、
１）  前記第２の判断ステップの処理により前記映像信号の入力フォーマットが525iであると判断された場合、1125iの出力フォーマットで出力し、
２）  前記第２の判断ステップの処理により前記映像信号の入力フォーマットが525pであると判断された場合、1125iの出力フォーマットで出力し、
３）  前記第２の判断ステップの処理により前記映像信号の入力フォーマットが1125iであると判断された場合、1125iの出力フォーマットで出力し、
４）  前記第２の判断ステップの処理により前記映像信号の入力フォーマットが750pであると判断された場合、750pの出力フォーマットで出力
するように制御する制御ステップと
を実行させることを特徴とするプログラム。
【請求項５】
映像信号を処理し、複数の出力設定を有する映像出力端子を介して出力する映像信号処理装置において、
前記映像出力端子の出力設定を判断する第１の判断手段と、
前記映像信号の入力フォーマットを判断する第２の判断手段と、
前記第1の判断手段により前記出力設定がD１設定と判断された場合、525iの出力フォーマットで出力し、
前記第1の判断手段により前記出力設定がD２設定と判断された場合、525pの出力フォーマットで出力し、
前記第1の判断手段により前記出力設定がD３設定と判断された場合、1125iの出力フォーマットで出力し、
前記第1の判断手段により前記出力設定がD４設定と判断された場合で、
１）  前記第２の判断手段により前記映像信号の入力フォーマットが525iであると判断された場合、1125iの出力フォーマットで出力し、
２）  前記第２の判断手段により前記映像信号の入力フォーマットが525pであると判断された場合、750pの出力フォーマットで出力し、
３）  前記第２の判断手段により前記映像信号の入力フォーマットが1125iであると判断された場合、1125iの出力フォーマットで出力し、
４）  前記第２の判断手段により前記映像信号の入力フォーマットが750pであると判断された場合、750pの出力フォーマットで出力
するように制御する制御手段と
を備えることを特徴とする映像信号処理装置。
【請求項６】
映像信号を処理し、複数の出力設定を有する映像出力端子を介して出力する映像信号処理装置の映像信号処理方法において、
前記映像出力端子の出力設定を判断する第１の判断ステップと、
前記映像信号の入力フォーマットを判断する第２の判断ステップと、
前記第1の判断ステップの処理により前記出力設定がD１設定と判断された場合、525iの出力フォーマットで出力し、
前記第1の判断ステップの処理により前記出力設定がD２設定と判断された場合、525pの出力フォーマットで出力し、
前記第1の判断ステップの処理により前記出力設定がD３設定と判断された場合、1125iの出力フォーマットで出力し、
前記第1の判断ステップの処理により前記出力設定がD４設定と判断された場合で、
１）  前記第２の判断ステップの処理により前記映像信号の入力フォーマットが525iであると判断された場合、1125iの出力フォーマットで出力し、
２）  前記第２の判断ステップの処理により前記映像信号の入力フォーマットが525pであると判断された場合、750pの出力フォーマットで出力し、
３）  前記第２の判断ステップの処理により前記映像信号の入力フォーマットが1125iであると判断された場合、1125iの出力フォーマットで出力し、
４）  前記第２の判断ステップの処理により前記映像信号の入力フォーマットが750pであると判断された場合、750pの出力フォーマットで出力
するように制御する制御ステップと
を含むことを特徴とする映像信号処理方法。
【請求項７】
映像信号を処理し、複数の出力設定を有する映像出力端子を介して出力する映像信号処理装置用のプログラムであって、
前記映像出力端子の出力設定を判断する第１の判断ステップと、
前記映像信号の入力フォーマットを判断する第２の判断ステップと、
前記第1の判断ステップの処理により前記出力設定がD１設定と判断された場合、525iの出力フォーマットで出力し、
前記第1の判断ステップの処理により前記出力設定がD２設定と判断された場合、525pの出力フォーマットで出力し、
前記第1の判断ステップの処理により前記出力設定がD３設定と判断された場合、1125iの出力フォーマットで出力し、
前記第1の判断ステップの処理により前記出力設定がD４設定と判断された場合で、
１）  前記第２の判断ステップの処理により前記映像信号の入力フォーマットが525iであると判断された場合、1125iの出力フォーマットで出力し、
２）  前記第２の判断ステップの処理により前記映像信号の入力フォーマットが525pであると判断された場合、750pの出力フォーマットで出力し、
３）  前記第２の判断ステップの処理により前記映像信号の入力フォーマットが1125iであると判断された場合、1125iの出力フォーマットで出力し、
４）  前記第２の判断ステップの処理により前記映像信号の入力フォーマットが750pであると判断された場合、750pの出力フォーマットで出力
するように制御する制御ステップと
を含むことを特徴とするコンピュータが読み取り可能なプログラムが記録されている記録媒体。
【請求項８】
映像信号を処理し、複数の出力設定を有する映像出力端子を介して出力する映像信号処理装置のコンピュータに、
前記映像出力端子の出力設定を判断する第１の判断ステップと、
前記映像信号の入力フォーマットを判断する第２の判断ステップと、
前記第1の判断ステップの処理により前記出力設定がD１設定と判断された場合、525iの出力フォーマットで出力し、
前記第1の判断ステップの処理により前記出力設定がD２設定と判断された場合、525pの出力フォーマットで出力し、
前記第1の判断ステップの処理により前記出力設定がD３設定と判断された場合、1125iの出力フォーマットで出力し、
前記第1の判断ステップの処理により前記出力設定がD４設定と判断された場合で、
１）  前記第２の判断ステップの処理により前記映像信号の入力フォーマットが525iであると判断された場合、1125iの出力フォーマットで出力し、
２）  前記第２の判断ステップの処理により前記映像信号の入力フォーマットが525pであると判断された場合、750pの出力フォーマットで出力し、
３）  前記第２の判断ステップの処理により前記映像信号の入力フォーマットが1125iであると判断された場合、1125iの出力フォーマットで出力し、
４）  前記第２の判断ステップの処理により前記映像信号の入力フォーマットが750pであると判断された場合、750pの出力フォーマットで出力
するように制御する制御ステップと
を実行させることを特徴とするプログラム。
【請求項９】
映像信号を処理し、複数の出力設定を有する映像出力端子を介して出力する映像信号処理装置において、
前記映像出力端子の出力設定を判断する第１の判断手段と、
前記映像信号の入力フォーマットを判断する第２の判断手段と、
前記第1の判断手段により前記出力設定がD１設定と判断された場合、525iの出力フォーマットで出力し、
前記第1の判断手段により前記出力設定がD２設定と判断された場合、525pの出力フォーマットで出力し、
前記第1の判断手段により前記出力設定がD３設定と判断された場合、1125iの出力フォーマットで出力し、
前記第1の判断手段により前記出力設定がD４設定と判断された場合で、
１）  前記第２の判断手段により前記映像信号の入力フォーマットが、前記映像出力端子において出力され得るプログレッシブ方式の最高解像度の入力フォーマットであると判断された場合、前記プログレッシブ方式の最高解像度の出力フォーマットで出力し、
２）  前記第２の判断手段により前記映像信号の入力フォーマットが、前記映像出力端子において出力され得るインターレース方式の最高解像度の入力フォーマットであると判断された場合、前記インターレース方式の最高解像度の出力フォーマットで出力し、
３）  前記第２の判断手段により前記映像信号の入力フォーマットが、前記映像出力端子において出力され得るプログレッシブ方式の最高解像度の入力フォーマットではないプログレッシブ方式の入力フォーマットであると判断された場合、前記プログレッシブ方式の最高解像度の出力フォーマットで出力し、
４）  前記第２の判断手段により前記映像信号の入力フォーマットが、前記映像出力端子において出力され得るインターレース方式の最高解像度の入力フォーマットではないインターレース方式の入力フォーマットであると判断された場合、前記インターレース方式の最高解像度の出力フォーマットで出力
するように制御する制御手段と
を備えることを特徴とする映像信号処理装置。
【請求項１０】
映像信号を処理し、複数の出力設定を有する映像出力端子を介して出力する映像信号処理装置の映像信号処理方法において、
前記映像出力端子の出力設定を判断する第１の判断ステップと、
前記映像信号の入力フォーマットを判断する第２の判断ステップと、
前記第1の判断ステップの処理により前記出力設定がD１設定と判断された場合、525iの出力フォーマットで出力し、
前記第1の判断ステップの処理により前記出力設定がD２設定と判断された場合、525pの出力フォーマットで出力し、
前記第1の判断ステップの処理により前記出力設定がD３設定と判断された場合、1125iの出力フォーマットで出力し、
前記第1の判断ステップの処理により前記出力設定がD４設定と判断された場合で、
１）  前記第２の判断ステップの処理により前記映像信号の入力フォーマットが、前記映像出力端子において出力され得るプログレッシブ方式の最高解像度の入力フォーマットであると判断された場合、前記プログレッシブ方式の最高解像度の出力フォーマットで出力し、
２）  前記第２の判断ステップの処理により前記映像信号の入力フォーマットが、前記映像出力端子において出力され得るインターレース方式の最高解像度の入力フォーマットであると判断された場合、前記インターレース方式の最高解像度の出力フォーマットで出力し、
３）  前記第２の判断ステップの処理により前記映像信号の入力フォーマットが、前記映像出力端子において出力され得るプログレッシブ方式の最高解像度の入力フォーマットではないプログレッシブ方式の入力フォーマットであると判断された場合、前記プログレッシブ方式の最高解像度の出力フォーマットで出力し、
４）  前記第２の判断ステップの処理により前記映像信号の入力フォーマットが、前記映像出力端子において出力され得るインターレース方式の最高解像度の入力フォーマットではないインターレース方式の入力フォーマットであると判断された場合、前記インターレース方式の最高解像度の出力フォーマットで出力
するように制御する制御ステップと
を含むことを特徴とする映像信号処理方法。
【請求項１１】
映像信号を処理し、複数の出力設定を有する映像出力端子を介して出力する映像信号処理装置用のプログラムであって、
前記映像出力端子の出力設定を判断する第１の判断ステップと、
前記映像信号の入力フォーマットを判断する第２の判断ステップと、
前記第1の判断ステップの処理により前記出力設定がD１設定と判断された場合、525iの出力フォーマットで出力し、
前記第1の判断ステップの処理により前記出力設定がD２設定と判断された場合、525pの出力フォーマットで出力し、
前記第1の判断ステップの処理により前記出力設定がD３設定と判断された場合、1125iの出力フォーマットで出力し、
前記第1の判断ステップの処理により前記出力設定がD４設定と判断された場合で、
１）  前記第２の判断ステップの処理により前記映像信号の入力フォーマットが、前記映像出力端子において出力され得るプログレッシブ方式の最高解像度の入力フォーマットであると判断された場合、前記プログレッシブ方式の最高解像度の出力フォーマットで出力し、
２）  前記第２の判断ステップの処理により前記映像信号の入力フォーマットが、前記映像出力端子において出力され得るインターレース方式の最高解像度の入力フォーマットであると判断された場合、前記インターレース方式の最高解像度の出力フォーマットで出力し、
３）  前記第２の判断ステップの処理により前記映像信号の入力フォーマットが、前記映像出力端子において出力され得るプログレッシブ方式の最高解像度の入力フォーマットではないプログレッシブ方式の入力フォーマットであると判断された場合、前記プログレッシブ方式の最高解像度の出力フォーマットで出力し、
４）  前記第２の判断ステップの処理により前記映像信号の入力フォーマットが、前記映像出力端子において出力され得るインターレース方式の最高解像度の入力フォーマットではないインターレース方式の入力フォーマットであると判断された場合、前記インターレース方式の最高解像度の出力フォーマットで出力
するように制御する制御ステップと
を含むことを特徴とするコンピュータが読み取り可能なプログラムが記録されている記録媒体。
【請求項１２】
映像信号を処理し、複数の出力設定を有する映像出力端子を介して出力する映像信号処理装置のコンピュータに、
前記映像出力端子の出力設定を判断する第１の判断ステップと、
前記映像信号の入力フォーマットを判断する第２の判断ステップと、
前記第1の判断ステップの処理により前記出力設定がD１設定と判断された場合、525iの出力フォーマットで出力し、
前記第1の判断ステップの処理により前記出力設定がD２設定と判断された場合、525pの出力フォーマットで出力し、
前記第1の判断ステップの処理により前記出力設定がD３設定と判断された場合、1125iの出力フォーマットで出力し、
前記第1の判断ステップの処理により前記出力設定がD４設定と判断された場合で、
１）  前記第２の判断ステップの処理により前記映像信号の入力フォーマットが、前記映像出力端子において出力され得るプログレッシブ方式の最高解像度の入力フォーマットであると判断された場合、前記プログレッシブ方式の最高解像度の出力フォーマットで出力し、
２）  前記第２の判断ステップの処理により前記映像信号の入力フォーマットが、前記映像出力端子において出力され得るインターレース方式の最高解像度の入力フォーマットであると判断された場合、前記インターレース方式の最高解像度の出力フォーマットで出力し、
３）  前記第２の判断ステップの処理により前記映像信号の入力フォーマットが、前記映像出力端子において出力され得るプログレッシブ方式の最高解像度の入力フォーマットではないプログレッシブ方式の入力フォーマットであると判断された場合、前記プログレッシブ方式の最高解像度の出力フォーマットで出力し、
４）  前記第２の判断ステップの処理により前記映像信号の入力フォーマットが、前記映像出力端子において出力され得るインターレース方式の最高解像度の入力フォーマットではないインターレース方式の入力フォーマットであると判断された場合、前記インターレース方式の最高解像度の出力フォーマットで出力
するように制御する制御ステップと
を実行させることを特徴とするプログラム。
【発明の詳細な説明】
【０００１】
【発明の属する技術分野】
本発明は、映像信号処理装置および方法、記録媒体、並びにプログラムに関し、特に、出力解像度を有効に生かした高画質な表示を出力できるようにする映像信号処理装置および方法、記録媒体、並びにプログラムに関する。
【０００２】
【従来の技術】
近年、放送における映像信号の信号フォーマットとしては、525i（interlace）、525p（progressive）、1125iまたは750pが使用されている。そして、その映像信号をテレビジョン受像機から映像信号入力装置（例えば、ディスプレイ装置）に出力する映像信号出力端子として、日本電子機械工業会（ＥＩＡＪ：Electronic Industries Association of Japan）のＣＰ−４１２０で規定されているＤ端子が使用される。
【０００３】
このＤ端子は、525iの映像信号に対応するＤ１端子、525i または525pの映像信号に対応するＤ２端子、525i 、525pまたは1125iの映像信号に対応するＤ３端子、および、525i 、525p、1125iまたは750pの映像信号に対応するＤ４端子により構成されており、各テレビジョン受像機において、入力の信号フォーマットとＤ端子の出力フォーマット設定に基づいて、出力される映像信号の信号フォーマット（出力フォーマット）の仕様が予め定められている。
【０００４】
図１は、一般的に用いられるＤ端子の出力フォーマットの仕様例を示す図である。図１の例においては、出力フォーマット設定がＤ１端子の場合、入力されるすべての信号フォーマットの映像信号が525iの信号フォーマットで出力され、出力フォーマット設定がＤ２端子の場合、入力される映像信号のうち、525iの信号フォーマットの映像信号が525iの信号フォーマットで出力され、525p、1125iまたは750pの信号フォーマットの映像信号が525pの信号フォーマットで出力される。
【０００５】
出力フォーマット設定がＤ３端子の場合、入力される映像信号のうち、525iの信号フォーマットの映像信号が525iの信号フォーマットで出力され、525pの信号フォーマットの映像信号が525pの信号フォーマットで出力され、1125iまたは750pの信号フォーマットの映像信号が1125iの信号フォーマットで出力される。出力フォーマット設定がＤ４端子の場合、入力される映像信号のうち、525iの信号フォーマットの映像信号が525iの信号フォーマットで出力され、525pの信号フォーマットの映像信号が525pの信号フォーマットで出力され、1125iの信号フォーマットの映像信号が1125iの信号フォーマットで出力され、750pの信号フォーマットの映像信号が750pの信号フォーマットで出力される。
【０００６】
【発明が解決しようとする課題】
以上のような従来のテレビジョン受像機の各Ｄ端子においては、入力される映像信号の信号フォーマットに基づいて、出力される映像信号の信号フォーマットが設定されていたため、入力される映像信号の信号フォーマットの変更に対応して、出力される映像信号の信号フォーマットが変更されてしまう場合があった。
【０００７】
例えば、出力フォーマット設定がＤ４端子の場合において、信号フォーマットが750pの映像信号の放送コンテンツの後に、信号フォーマットが525pの映像信号の放送コンテンツが入力されると、出力の信号フォーマットは、750pから525pに変更してしまう。すなわち、750pから525pへの信号フォーマットの変更により、テレビジョン受像機の同期が乱れてしまうため、ユーザの意思とは関係なく、テレビジョン受像機にＤ端子を介して接続されているディスプレイ装置の表示画面が一旦変化してしまうといった課題があった。
【０００８】
テレビジョン受像機によっては、図２に示されるように、映像信号の信号フォーマットをすべて1125i固定で出力する映像信号出力端子を有するものもあるが、この映像信号出力端子では、入力されるすべての信号フォーマットの映像信号が1125iの信号フォーマットで出力されるが、1125iの信号フォーマットにしか対応しておらず、他の信号フォーマットで出力したい場合には対応できないといった課題があった。
【０００９】
また、従来のテレビジョン受像機の各Ｄ端子においては、必ずしも、各Ｄ端子から、各Ｄ端子が対応している最高解像度の信号フォーマットでは出力されていなかった。
【００１０】
例えば、図１に上述したように、Ｄ４端子を有し、750pの高解像度を出力できるテレビジョン受像機であっても、入力される映像信号の信号フォーマットが、例えば、525pであった場合、その525pに合わせて解像度を落として出力するため、Ｄ４端子の有する最高解像度750pを有効に生かすことができないという課題があった。
【００１１】
本発明はこのような状況に鑑みてなされたものであり、出力解像度を有効に生かした高画質な表示をすることができるようにするものである。
【００１２】
【課題を解決するための手段】
本発明の第１の映像信号処理装置は、映像出力端子の出力設定を判断する第１の判断手段と、映像信号の入力フォーマットを判断する第２の判断手段と、第1の判断手段により出力設定がD１設定と判断された場合、525iの出力フォーマットで出力し、第1の判断手段により出力設定がD２設定と判断された場合、525pの出力フォーマットで出力し、第1の判断手段により出力設定がD３設定と判断された場合、1125iの出力フォーマットで出力し、第1の判断手段により出力設定がD４設定と判断された場合で、１）  第２の判断手段により映像信号の入力フォーマットが525iであると判断された場合、1125iの出力フォーマットで出力し、２）  第２の判断手段により映像信号の入力フォーマットが525pであると判断された場合、1125iの出力フォーマットで出力し、３）  第２の判断手段により映像信号の入力フォーマットが1125iであると判断された場合、1125iの出力フォーマットで出力し、４）  第２の判断手段により映像信号の入力フォーマットが750pであると判断された場合、750pの出力フォーマットで出力するように制御する制御手段とを備えることを特徴とする。
本発明の第１の映像信号処理方法は、映像出力端子の出力設定を判断する第１の判断ステップと、映像信号の入力フォーマットを判断する第２の判断ステップと、第1の判断ステップの処理により出力設定がD１設定と判断された場合、525iの出力フォーマットで出力し、第1の判断ステップの処理により出力設定がD２設定と判断された場合、525pの出力フォーマットで出力し、第1の判断ステップの処理により出力設定がD３設定と判断された場合、1125iの出力フォーマットで出力し、第1の判断ステップの処理により出力設定がD４設定と判断された場合で、１）  第２の判断ステップの処理により映像信号の入力フォーマットが525iであると判断された場合、1125iの出力フォーマットで出力し、２）  第２の判断ステップの処理により映像信号の入力フォーマットが525pであると判断された場合、1125iの出力フォーマットで出力し、３）  第２の判断ステップの処理により映像信号の入力フォーマットが1125iであると判断された場合、1125iの出力フォーマットで出力し、４）  第２の判断ステップの処理により映像信号の入力フォーマットが750pであると判断された場合、750pの出力フォーマットで出力するように制御する制御ステップとを含むことを特徴とする。
本発明の第１の記録媒体のプログラムは、映像出力端子の出力設定を判断する第１の判断ステップと、映像信号の入力フォーマットを判断する第２の判断ステップと、第1の判断ステップの処理により出力設定がD１設定と判断された場合、525iの出力フォーマットで出力し、第1の判断ステップの処理により出力設定がD２設定と判断された場合、525pの出力フォーマットで出力し、第1の判断ステップの処理により出力設定がD３設定と判断された場合、1125iの出力フォーマットで出力し、第1の判断ステップの処理により出力設定がD４設定と判断された場合で、１）  第２の判断ステップの処理により映像信号の入力フォーマットが525iであると判断された場合、1125iの出力フォーマットで出力し、２）  第２の判断ステップの処理により映像信号の入力フォーマットが525pであると判断された場合、1125iの出力フォーマットで出力し、３）  第２の判断ステップの処理により映像信号の入力フォーマットが1125iであると判断された場合、1125iの出力フォーマットで出力し、４）  第２の判断ステップの処理により映像信号の入力フォーマットが750pであると判断された場合、750pの出力フォーマットで出力するように制御する制御ステップとを含むことを特徴とする。
本発明の第１のプログラムは、映像出力端子の出力設定を判断する第１の判断ステップと、映像信号の入力フォーマットを判断する第２の判断ステップと、第1の判断ステップの処理により出力設定がD１設定と判断された場合、525iの出力フォーマットで出力し、第1の判断ステップの処理により出力設定がD２設定と判断された場合、525pの出力フォーマットで出力し、第1の判断ステップの処理により出力設定がD３設定と判断された場合、1125iの出力フォーマットで出力し、第1の判断ステップの処理により出力設定がD４設定と判断された場合で、１）  第２の判断ステップの処理により映像信号の入力フォーマットが525iであると判断された場合、1125iの出力フォーマットで出力し、２）  第２の判断ステップの処理により映像信号の入力フォーマットが525pであると判断された場合、1125iの出力フォーマットで出力し、３）  第２の判断ステップの処理により映像信号の入力フォーマットが1125iであると判断された場合、1125iの出力フォーマットで出力し、４）  第２の判断ステップの処理により映像信号の入力フォーマットが750pであると判断された場合、750pの出力フォーマットで出力するように制御する制御ステップとを実行させることを特徴とする。
【００１３】
本発明の第１の映像信号処理装置および方法、記録媒体、並びにプログラムにおいては、映像出力端子の出力設定がD１設定と判断された場合、525iの出力フォーマットで出力し、出力設定がD２設定と判断された場合、525pの出力フォーマットで出力し、出力設定がD３設定と判断された場合、1125iの出力フォーマットで出力し、出力設定がD４設定と判断された場合で、１）映像信号の入力フォーマットが525iであると判断された場合には、1125iの出力フォーマットで出力し、２）映像信号の入力フォーマットが525pであると判断された場合には、1125iの出力フォーマットで出力し、３）映像信号の入力フォーマットが1125iであると判断された場合には、1125iの出力フォーマットで出力し、４）映像信号の入力フォーマットが750pであると判断された場合には、750pの出力フォーマットで出力するように出力が制御される。
【００１４】
本発明の第２の映像信号処理装置は、映像出力端子の出力設定を判断する第１の判断手段と、映像信号の入力フォーマットを判断する第２の判断手段と、第1の判断手段により出力設定がD１設定と判断された場合、525iの出力フォーマットで出力し、第1の判断手段により出力設定がD２設定と判断された場合、525pの出力フォーマットで出力し、第1の判断手段により出力設定がD３設定と判断された場合、1125iの出力フォーマットで出力し、第1の判断手段により出力設定がD４設定と判断された場合で、１）  第２の判断手段により映像信号の入力フォーマットが525iであると判断された場合、1125iの出力フォーマットで出力し、２）  第２の判断手段により映像信号の入力フォーマットが525pであると判断された場合、750pの出力フォーマットで出力し、３）  第２の判断手段により映像信号の入力フォーマットが1125iであると判断された場合、1125iの出力フォーマットで出力し、４）  第２の判断手段により映像信号の入力フォーマットが750pであると判断された場合、750pの出力フォーマットで出力するように制御する制御手段とを備えることを特徴とする。
本発明の第２の映像信号処理方法は、映像出力端子の出力設定を判断する第１の判断ステップと、映像信号の入力フォーマットを判断する第２の判断ステップと、第1の判断ステップの処理により出力設定がD１設定と判断された場合、525iの出力フォーマットで出力し、第1の判断ステップの処理により出力設定がD２設定と判断された場合、525pの出力フォーマットで出力し、第1の判断ステップの処理により出力設定がD３設定と判断された場合、1125iの出力フォーマットで出力し、第1の判断ステップの処理により出力設定がD４設定と判断された場合で、１）  第２の判断ステップの処理により映像信号の入力フォーマットが525iであると判断された場合、1125iの出力フォーマットで出力し、２）  第２の判断ステップの処理により映像信号の入力フォーマットが525pであると判断された場合、750pの出力フォーマットで出力し、３）  第２の判断ステップの処理により映像信号の入力フォーマットが1125iであると判断された場合、1125iの出力フォーマットで出力し、４）  第２の判断ステップの処理により映像信号の入力フォーマットが750pであると判断された場合、750pの出力フォーマットで出力するように制御する制御ステップとを含むことを特徴とする。
本発明の第２の記録媒体のプログラムは、映像出力端子の出力設定を判断する第１の判断ステップと、映像信号の入力フォーマットを判断する第２の判断ステップと、第1の判断ステップの処理により出力設定がD１設定と判断された場合、525iの出力フォーマットで出力し、第1の判断ステップの処理により出力設定がD２設定と判断された場合、525pの出力フォーマットで出力し、第1の判断ステップの処理により出力設定がD３設定と判断された場合、1125iの出力フォーマットで出力し、第1の判断ステップの処理により出力設定がD４設定と判断された場合で、１）  第２の判断ステップの処理により映像信号の入力フォーマットが525iであると判断された場合、1125iの出力フォーマットで出力し、２）  第２の判断ステップの処理により映像信号の入力フォーマットが525pであると判断された場合、750pの出力フォーマットで出力し、３）  第２の判断ステップの処理により映像信号の入力フォーマットが1125iであると判断された場合、1125iの出力フォーマットで出力し、４）  第２の判断ステップの処理により映像信号の入力フォーマットが750pであると判断された場合、750pの出力フォーマットで出力するように制御する制御ステップとを含むことを特徴とする。
本発明の第２のプログラムは、映像出力端子の出力設定を判断する第１の判断ステップと、映像信号の入力フォーマットを判断する第２の判断ステップと、第1の判断ステップの処理により出力設定がD１設定と判断された場合、525iの出力フォーマットで出力し、第1の判断ステップの処理により出力設定がD２設定と判断された場合、525pの出力フォーマットで出力し、第1の判断ステップの処理により出力設定がD３設定と判断された場合、1125iの出力フォーマットで出力し、第1の判断ステップの処理により出力設定がD４設定と判断された場合で、１）  第２の判断ステップの処理により映像信号の入力フォーマットが525iであると判断された場合、1125iの出力フォーマットで出力し、２）  第２の判断ステップの処理により映像信号の入力フォーマットが525pであると判断された場合、750pの出力フォーマットで出力し、３）  第２の判断ステップの処理により映像信号の入力フォーマットが1125iであると判断された場合、1125iの出力フォーマットで出力し、４）  第２の判断ステップの処理により映像信号の入力フォーマットが750pであると判断された場合、750pの出力フォーマットで出力するように制御する制御ステップとを実行させることを特徴とする。
【００１５】
本発明の第２の映像信号処理装置および方法、記録媒体、並びにプログラムにおいては、映像出力端子の出力設定がD１設定と判断された場合、525iの出力フォーマットで出力し、出力設定がD２設定と判断された場合、525pの出力フォーマットで出力し、出力設定がD３設定と判断された場合、1125iの出力フォーマットで出力し、出力設定出力がD４設定と判断された場合で、１）映像信号の入力フォーマットが525iであると判断された場合には、1125iの出力フォーマットで出力し、２）映像信号の入力フォーマットが525pであると判断された場合には、750pの出力フォーマットで出力し、３）映像信号の入力フォーマットが1125iであると判断された場合には、1125iの出力フォーマットで出力し、４）映像信号の入力フォーマットが750pであると判断された場合には、750pの出力フォーマットで出力するように出力が制御される。
【００１８】
本発明の第３の映像信号処理装置は、映像出力端子の出力設定を判断する第１の判断手段と、映像信号の入力フォーマットを判断する第２の判断手段と、第1の判断手段により出力設定がD１設定と判断された場合、525iの出力フォーマットで出力し、第1の判断手段により出力設定がD２設定と判断された場合、525pの出力フォーマットで出力し、第1の判断手段により出力設定がD３設定と判断された場合、1125iの出力フォーマットで出力し、第1の判断手段により出力設定がD４設定と判断された場合で、１）  第２の判断手段により映像信号の入力フォーマットが、映像出力端子において出力され得るプログレッシブ方式の最高解像度の入力フォーマットであると判断された場合、プログレッシブ方式の最高解像度の出力フォーマットで出力し、２）  第２の判断手段により映像信号の入力フォーマットが、映像出力端子において出力され得るインターレース方式の最高解像度の入力フォーマットであると判断された場合、インターレース方式の最高解像度の出力フォーマットで出力し、３）  第２の判断手段により映像信号の入力フォーマットが、映像出力端子において出力され得るプログレッシブ方式の最高解像度の入力フォーマットではないプログレッシブ方式の入力フォーマットであると判断された場合、プログレッシブ方式の最高解像度の出力フォーマットで出力し、４）  第２の判断手段により映像信号の入力フォーマットが、映像出力端子において出力され得るインターレース方式の最高解像度の入力フォーマットではないインターレース方式の入力フォーマットであると判断された場合、インターレース方式の最高解像度の出力フォーマットで出力するように制御する制御手段とを備えることを特徴とする。
本発明の第３の映像信号処理方法は、映像出力端子の出力設定を判断する第１の判断ステップと、映像信号の入力フォーマットを判断する第２の判断ステップと、第1の判断ステップの処理により出力設定がD１設定と判断された場合、525iの出力フォーマットで出力し、第1の判断ステップの処理により出力設定がD２設定と判断された場合、525pの出力フォーマットで出力し、第1の判断ステップの処理により出力設定がD３設定と判断された場合、1125iの出力フォーマットで出力し、第1の判断ステップの処理により出力設定がD４設定と判断された場合で、１）  第２の判断ステップの処理により映像信号の入力フォーマットが、映像出力端子において出力され得るプログレッシブ方式の最高解像度の入力フォーマットであると判断された場合、プログレッシブ方式の最高解像度の出力フォーマットで出力し、２）  第２の判断ステップの処理により映像信号の入力フォーマットが、映像出力端子において出力され得るインターレース方式の最高解像度の入力フォーマットであると判断された場合、インターレース方式の最高解像度の出力フォーマットで出力し、３）  第２の判断ステップの処理により映像信号の入力フォーマットが、映像出力端子において出力され得るプログレッシブ方式の最高解像度の入力フォーマットではないプログレッシブ方式の入力フォーマットであると判断された場合、プログレッシブ方式の最高解像度の出力フォーマットで出力し、４）  第２の判断ステップの処理により映像信号の入力フォーマットが、映像出力端子において出力され得るインターレース方式の最高解像度の入力フォーマットではないインターレース方式の入力フォーマットであると判断された場合、インターレース方式の最高解像度の出力フォーマットで出力するように制御する制御ステップとを含むことを特徴とする。
本発明の第３の記録媒体のプログラムは、映像出力端子の出力設定を判断する第１の判断ステップと、映像信号の入力フォーマットを判断する第２の判断ステップと、第1の判断ステップの処理により出力設定がD１設定と判断された場合、525iの出力フォーマットで出力し、第1の判断ステップの処理により出力設定がD２設定と判断された場合、525pの出力フォーマットで出力し、第1の判断ステップの処理により出力設定がD３設定と判断された場合、1125iの出力フォーマットで出力し、第1の判断ステップの処理により出力設定がD４設定と判断された場合で、１）  第２の判断ステップの処理により映像信号の入力フォーマットが、映像出力端子において出力され得るプログレッシブ方式の最高解像度の入力フォーマットであると判断された場合、プログレッシブ方式の最高解像度の出力フォーマットで出力し、２）  第２の判断ステップの処理により映像信号の入力フォーマットが、映像出力端子において出力され得るインターレース方式の最高解像度の入力フォーマットであると判断された場合、インターレース方式の最高解像度の出力フォーマットで出力し、３）  第２の判断ステップの処理により映像信号の入力フォーマットが、映像出力端子において出力され得るプログレッシブ方式の最高解像度の入力フォーマットではないプログレッシブ方式の入力フォーマットであると判断された場合、プログレッシブ方式の最高解像度の出力フォーマットで出力し、４）  第２の判断ステップの処理により映像信号の入力フォーマットが、映像出力端子において出力され得るインターレース方式の最高解像度の入力フォーマットではないインターレース方式の入力フォーマットであると判断された場合、インターレース方式の最高解像度の出力フォーマットで出力するように制御する制御ステップとを含むことを特徴とする。
本発明の第３のプログラムは、映像出力端子の出力設定を判断する第１の判断ステップと、映像信号の入力フォーマットを判断する第２の判断ステップと、第1の判断ステップの処理により出力設定がD１設定と判断された場合、525iの出力フォーマットで出力し、第1の判断ステップの処理により出力設定がD２設定と判断された場合、525pの出力フォーマットで出力し、第1の判断ステップの処理により出力設定がD３設定と判断された場合、1125iの出力フォーマットで出力し、第1の判断ステップの処理により出力設定がD４設定と判断された場合で、１）  第２の判断ステップの処理により映像信号の入力フォーマットが、映像出力端子において出力され得るプログレッシブ方式の最高解像度の入力フォーマットであると判断された場合、プログレッシブ方式の最高解像度の出力フォーマットで出力し、２）  第２の判断ステップの処理により映像信号の入力フォーマットが、映像出力端子において出力され得るインターレース方式の最高解像度の入力フォーマットであると判断された場合、インターレース方式の最高解像度の出力フォーマットで出力し、３）  第２の判断ステップの処理により映像信号の入力フォーマットが、映像出力端子において出力され得るプログレッシブ方式の最高解像度の入力フォーマットではないプログレッシブ方式の入力フォーマットであると判断された場合、プログレッシブ方式の最高解像度の出力フォーマットで出力し、４）  第２の判断ステップの処理により映像信号の入力フォーマットが、映像出力端子において出力され得るインターレース方式の最高解像度の入力フォーマットではないインターレース方式の入力フォーマットであると判断された場合、インターレース方式の最高解像度の出力フォーマットで出力するように制御する制御ステップとを実行させることを特徴とする。
【００１９】
本発明の第３の映像信号処理装置および方法、記録媒体、並びにプログラムにおいては、映像出力端子の出力設定がD１設定と判断された場合、525iの出力フォーマットで出力し、出力設定がD２設定と判断された場合、525pの出力フォーマットで出力し、出力設定がD３設定と判断された場合、1125iの出力フォーマットで出力し、出力設定がD４設定と判断された場合で、１）映像信号の入力フォーマットが、映像出力端子において出力され得るプログレッシブ方式の最高解像度の入力フォーマットであると判断された場合には、プログレッシブ方式の最高解像度の出力フォーマットで出力し、２）映像信号の入力フォーマットが、映像出力端子において出力され得るインターレース方式の最高解像度の入力フォーマットであると判断された場合には、インターレース方式の最高解像度の出力フォーマットで出力し、３）映像信号の入力フォーマットが、映像出力端子において出力され得るプログレッシブ方式の最高解像度の入力フォーマットではないプログレッシブ方式の入力フォーマットであると判断された場合には、プログレッシブ方式の最高解像度の出力フォーマットで出力し、４）映像信号の入力フォーマットが、映像出力端子において出力され得るインターレース方式の最高解像度の入力フォーマットではないインターレース方式の入力フォーマットであると判断された場合には、インターレース方式の最高解像度の出力フォーマットで出力するように出力が制御される。
【００２３】
【発明の実施の形態】
以下、図を参照して本発明の実施の形態について説明する。
【００２４】
図３は、本発明を適用したテレビジョン受像機１の構成例を示している。このテレビジョン受像機１は、図示せぬディスプレイ装置とＤ端子２１で接続されている。
【００２５】
チューナ１１は、図示せぬアンテナを介して受信された放送信号を選局、復調し、デマルチプレクサ１２に出力する。デマルチプレクサ１２は、その放送信号を、映像信号および音声信号に分離し、その中の映像信号を、ＭＰＥＧ（Moving Picture Experts Group）圧縮された映像信号として、デコーダ部１３に出力する。なお、音声信号は図示せぬオーディオデコーダ部に出力され、処理される。
【００２６】
デコーダ部１３は、その映像信号を、信号フォーマットに応じて、ベースバンドにデコードし、画質調整部１４または１５に出力する。なお、信号フォーマットは、放送信号において、大きく分類して、525i、525p、1125iおよび750pの４つの信号フォーマットが定義されている。ここで、数字は走査線の数を表し、iはインターレース（飛び越し走査）方式を、pはプログレッシブ（順次走査）方式をそれぞれ表す。
【００２７】
デコーダ部１３は、525iの信号フォーマットの映像信号を、画質調整部１４に出力し、それ以外の信号フォーマットの映像信号を画質調整部１５に出力する。また、デコーダ部１３は、その映像信号に対する信号フォーマットの情報をマイクロコンピュータ（以下、マイコンと称する）１６に出力する。
【００２８】
マイコン１６は、ユーザの操作に対応する信号を出力する入力部１７からの入力に対応して各部を制御する。また、マイコン１６は、デコーダ部１３により入力された映像信号に対する信号フォーマットの情報、または、ユーザにより指定されたＤ端子２１の出力フォーマット設定（出力設定）に基づいて、変換部１８または解像度変換部１９を制御する。
【００２９】
入力部１７は、各種のスイッチ、ボタン、リモートコントローラなどで構成され、ユーザの操作に対応した信号を出力する。例えば、Ｄ端子２１の出力フォーマット設定を変更するために、所定のボタンを押すと、Ｄ端子２１の出力フォーマット設定がマイコン１６に出力される。
【００３０】
画質調整部１４および１５は、映像信号から、ＭＰＥＧ圧縮された信号に特有のブロックノイズを除去したり、その他の画質を向上させる処理を実行する。画質調整部１４は、処理した映像信号を変換部１８に出力する。画像調整部１５は、処理した映像信号を解像度変換部１９に出力する。
【００３１】
変換部１８は、画像調整部１４により入力された525iの信号フォーマットの映像信号を、マイコン１６からの制御信号に応じて、525pの信号フォーマットに変換したり、または、入力された525iの信号フォーマットのまま、解像度変換部１９に出力する。
【００３２】
解像度変換部１９は、変換部１８から入力された映像信号、または、画像調整部１５から入力された映像信号を、マイコン１６の制御に応じて、色変換したり、解像度変換を実行し、Ｄ／Ａ（Digital/Analog）変換部２０に出力する。
【００３３】
Ｄ／Ａ変換部２０は、解像度変換部１９より入力された映像信号をアナログ信号に変換し、Ｄ端子２１を介して、ディスプレイ装置に出力する。このＤ端子２１は、525iの映像信号に対応するＤ１端子、525i または525pの映像信号に対応するＤ２端子、525i 、525pまたは1125iの映像信号に対応するＤ３端子、および、525i 、525p、1125iまたは750pの映像信号に対応するＤ４端子により構成される。そして、このテレビジョン受像機１においては、入力された映像信号の信号フォーマット（入力フォーマット）とＤ端子２１の設定に基づいて、出力される映像信号の信号フォーマット（出力フォーマット）の仕様が、図４に示されるように、予め定められている。
【００３４】
図４は、このテレビジョン受像機１のＤ端子２１の出力フォーマットの仕様例を示す図である。
【００３５】
図４の例においては、出力フォーマット設定がＤ１端子の場合、入力されるすべての信号フォーマットの映像信号が525iの信号フォーマットで出力され、出力フォーマット設定がＤ２端子の場合、入力されるすべての信号フォーマットの映像信号が525pの信号フォーマットで出力される。
【００３６】
また、出力フォーマット設定がＤ３端子の場合、入力されるすべての信号フォーマットの映像信号が1125iの信号フォーマットで出力される。出力フォーマット設定がＤ４端子の場合、入力されるすべての信号フォーマットの映像信号が750pの信号フォーマットで出力される。
【００３７】
図４の例の場合、Ｄ端子２１の出力フォーマット設定だけで出力の信号フォーマットが求められる。すなわち、テレビジョン受像機１において、映像信号は、入力される信号フォーマットに拠らず、各Ｄ端子が出力できる最高解像度の信号フォーマットで出力される。
【００３８】
以上のようなＤ端子２１の出力フォーマット設定に基づいて、マイコン１６は、変換部１８および解像度変換部１９を制御する。
【００３９】
図５は、変換部１８の詳細な構成例を示すブロック図である。図５において、変換部１８は、スイッチ４１および信号変換部４２により構成される。
【００４０】
スイッチ４１は、マイコン１６からの制御信号に応じて、スイッチ端子４１ａまたは４１ｂのどちらかを選択する。スイッチ４１がスイッチ端子４１ａを選択した場合、画像調整部１４により入力された525iの信号フォーマットの映像信号は、そのままの信号フォーマットで解像度変換部１９に出力される。また、スイッチ４１がスイッチ端子４１ｂを選択した場合、画像調整部１４により入力された525iの信号フォーマットの映像信号は、信号変換部４２に出力される。
【００４１】
信号変換部４２は、スイッチ端子４１ｂを介して入力された525iの信号フォーマットの映像信号を、垂直方向の解像度を補間して、525pの信号フォーマットに変換し、解像度変換部１９に出力する。
【００４２】
図６は、解像度変換部１９の詳細な構成例を示すブロック図である。図６において、解像度変換部１９は、信号入力部６１および６２、色変換部６３および６４、スイッチ６５、縮小フィルタ６６、メモリ６７、並びに、拡大フィルタ６８により構成される。
【００４３】
信号入力部６１は、変換部１８から入力された525iまたは525pの信号フォーマットの映像信号を色変換部６３に供給する。信号入力部６２は、画像調整部１５から入力された525p、1125i、または750pの信号フォーマットの映像信号を色変換部６４に供給する。
【００４４】
色変換部６３および６４は、マイコン１６からの制御信号に応じて、供給された映像信号の信号フォーマットが入出力で異なる場合に色変換を実行する。スイッチ６５は、マイコン１６からの制御信号に応じて、色変換部６３からの映像信号を受けるスイッチ端子６５ａ、または、色変換部６４からの映像信号を受けるスイッチ端子６５ｂのどちらかを選択する。
【００４５】
縮小フィルタ６６は、マイコン１６からの制御信号に応じて、高い解像度から低い解像度に解像度変換する場合に、映像信号を縮小してメモリに書き出し、反対に、低い解像度から高い解像度に解像度変換する場合には、その映像信号をそのまま何もせず、メモリ６７に書き出す。拡大フィルタ６８は、マイコン１６からの制御信号に応じて、低い解像度から高い解像度に解像度変換する場合に、メモリから読み出された映像信号を拡大して、Ｄ／Ａ変換部２０に書き出し、反対に、高い解像度から低い解像度に解像度変換する場合には、その映像信号をそのまま何もせず、Ｄ／Ａ変換部２０に書き出す。
【００４６】
上述した縮小フィルタ６６、メモリ６７および拡大フィルタ６８により実行される解像度変換処理について、図７を参照して詳しく説明する。図７の例において、525iの映像信号８１は、ブランキング領域９１および有効画像領域９２により構成され、水平サイズ525×垂直サイズ858である。また、1125iの映像信号８２は、ブランキング領域９３および有効画像領域９４により構成され、水平サイズ2200×垂直サイズ1125である。
【００４７】
マイコン１６は、デコーダ部１３により入力された映像信号に対する信号フォーマットの情報、および、ユーザにより指定されたＤ端子２１の出力フォーマット設定（図４）に基づいて、入力の信号フォーマットと出力の信号フォーマットの解像度を比較判断する。そして、その映像信号の入力の信号フォーマットより出力の信号フォーマットの方が解像度が高いと判断された場合、縮小フィルタ６６、メモリ６７および拡大フィルタ６８は、映像信号の拡大解像度変換を実行する。
【００４８】
例えば、525iの入力信号フォーマットの映像信号が1125iの出力信号フォーマットに拡大解像度変換されるとき、映像信号８１の水平位置122と垂直位置37から水平サイズ720×垂直サイズ480の有効画像領域９２が切り出され、メモリ６７に書き出される。なお、この場合は、低い解像度から高い解像度に解像度変換するため、この映像信号はそのままの信号フォーマットで縮小フィルタ６６をスルーする。その後、有効画像領域９２は、拡大フィルタ６８によりメモリ６７より読み出されながら、水平サイズ1920×垂直サイズ1080の有効画像領域９４に拡大され、映像信号８２の水平位置192と垂直位置20に配置され、出力される。これにより、525iの映像信号８１から1125iの映像信号８２への解像度変換が実行される。
【００４９】
また、反対に、入力の信号フォーマットより、出力の信号フォーマットの方が解像度が低いと判断された場合、縮小フィルタ６６、メモリ６７および拡大フィルタ６８は、映像信号の縮小解像度変換を実行する。
【００５０】
例えば、1125iの入力信号フォーマットの映像信号が525iの出力信号フォーマットに縮小解像度変換されるとき、映像信号８２の水平位置192と垂直位置20から、水平サイズ1920×垂直サイズ1080の有効画像領域９４が切り出され、縮小フィルタ６６で縮小されて、メモリ６７に書き出される。その後、有効画像領域９４は、拡大フィルタ６８によりメモリ６７から読み出されながら、映像信号８１の水平位置122と垂直位置37に配置され、出力される。これにより、1125iの映像信号８２から525iの映像信号８１への解像度変換が実行される。なお、この場合は、高い解像度から低い解像度に解像度変換するため、この映像信号はそのままの信号フォーマットで拡大フィルタ６８をスルーする。
【００５１】
また、入力の信号フォーマットと、出力の信号フォーマットの解像度が同じであると判断された場合、縮小フィルタ６６、メモリ６７および拡大フィルタ６８は、映像信号をそのまま、Ｄ／Ａ変換部２０にスルーさせる。なお、この場合、縮小フィルタ６６は、有効画像領域を切り出し、そのまま、メモリ６７に書き出す。その後、拡大フィルタ６８は、メモリ６７の有効画像領域をそのままの信号フォーマットの映像信号の所定の位置に配置し、Ｄ／Ａ変換部２０に書き出す。
【００５２】
以上のようにして、テレビジョン受像機１において、入出力で信号フォーマットが異なった場合、入力された映像信号の有効画像領域が切り出され、出力信号の有効画像領域サイズに拡大縮小され、出力の信号フォーマットで規定されている有効画像の位置にセットされることにより、解像度変換が実行される。これにより、映像信号は、Ｄ端子２１の出力フォーマットの仕様に基づいた信号フォーマットで出力される。
【００５３】
次に、図８のフローチャートを参照して、テレビジョン受像機１の変換部１８における信号変換処理を説明する。
【００５４】
画像調整部１４により525iの信号フォーマットの映像信号が入力されると、ステップＳ１において、マイコン１６は、Ｄ端子２１の出力フォーマット設定がＤ１端子であるか否かを判断し、Ｄ端子２１の出力フォーマット設定がＤ１端子であると判断した場合、すなわち、出力の信号フォーマットが525iであると判断されるので、ステップＳ２において、スイッチ４１は、スイッチ端子４１ａを選択し、525iの信号フォーマットの映像信号を、そのままの解像度の信号フォーマット（525i）で解像度変換部１９に出力する。
【００５５】
ステップＳ１において、Ｄ端子２１の出力フォーマット設定がＤ１端子ではないと判断された場合、ステップＳ３において、スイッチ４１は、スイッチ端子４１ｂを選択し、525iの信号フォーマットの映像信号を信号変換部４２に出力する。すなわち、Ｄ端子２１の出力フォーマット設定がＤ２端子であり、出力される信号フォーマットが525pであると判断されるので、信号変換部４２は、ステップＳ４以降の処理において、525iの信号フォーマットの映像信号を、525pの信号フォーマットの映像信号に変換する信号変換処理を実行する。
【００５６】
ここで、ステップＳ４以降の処理の詳細について、図９乃至図１２を参照して、説明する。図９は、時間的に連続したフィールド画像の例を示す図である。
【００５７】
フィールド画像１１１においては、走査線１２３上に画像部１２１ａ、および画像部１２２ａが形成されている。フィールド画像１１１と時間的に連続しているフィールド画像１１２においては、走査線１２４上に形成されている画像部１２１ｂ、および画像部１２２ｂは、それぞれフィールド画像１１１の画像部１２１ａ、および画像部１２２ａに対応している。したがって、図９の例において、画像部１２１ａ、１２１ｂは、それぞれの位置が移動している、動きのある画像であり、画像部１２２ａ、１２２ｂは停止画像である。
【００５８】
信号変換部４２は、ステップＳ４以降において、525iの信号フォーマットの映像信号を、垂直方向の解像度を補間して、525pの信号フォーマットに変換する処理を実行する。その場合、単純に１つのフィールド画像１１１（図９）を垂直方向に２倍する拡大フィルタを介して倍の走査線数の525pの信号フォーマットに変換すると、図１０に示されるように、画像部１２１ａおよび画像部１２２ａの画像のギザつきが目立ってしまうなどの恐れがある。そのギザつきは、特に、停止画像の画像部１２２ａで顕著に表れる。
【００５９】
それに対して、時間的に連続した２つのフィールド画像１１１および１１２（図９）を差し込み合わせて、倍の解像度のフィールド画像を生成し、それをフィールド画像毎に実行することで525iの信号フォーマットから525pの信号フォーマットに変換すると、図１１に示されるように、画像部１２２ａおよび１２２ｂの停止画像は、垂直方向の解像度が２倍になるため、滑らかな画像に変換されるが、画像部１２１ａおよび１２１ｂの動きのある画像が２箇所に描画されてしまうという恐れがある。
【００６０】
そこで、ステップＳ４において、信号変換部４２は、映像信号の２つのフィールド画像１１１および１１２において、各画素が動き部分であるか否かを判断する。ステップＳ４において、映像信号の２つのフィールド画像の各画素が動き部分であると判断された場合、ステップＳ５において、信号変換部４２は、その動き部分を、図１０に示されるように、単純に１つのフィールド画像１１１を垂直方向に２倍する拡大フィルタを介して倍の走査線数の525pの信号フォーマットに変換する。
【００６１】
ステップＳ４において、映像信号の２つのフィールド画像において、各画素が動き部分ではない（停止している）と判断された場合、ステップＳ６において、信号変換部４２は、図１１に示されるように、時間的に連続した２つのフィールド画像１１１および１１２を差し込み合わせて、倍の解像度のフィールド画像を生成し、それをフィールド画像毎に実行することで525iの信号フォーマットから525pの信号フォーマットに解像度変換する。
【００６２】
以上のようにして解像度変換されることにより、図１２に示されるように、停止している画像部１２２ａおよび１２２ｂの解像度が２倍になり、また、動きのある画像部１２１ａも１つの画像部として補間されるようにできる。
【００６３】
次に、図１３のフローチャートに基づいて、テレビジョン受像機１の色変換処理の説明をする。なお、色変換部６４は、信号入力部６２から入力される信号フォーマットが525p、1125iまたは750pであり、信号入力部６１から入力される信号フォーマットが525iまたは525pである色変換部６３と、信号入力部および入力される信号フォーマットが異なる以外は、基本的な構成は同じであり繰り返しになるため、図１３の説明は、色変換部６４の説明としても引用する。
【００６４】
信号入力部６１は、変換部１８からの信号フォーマットの映像信号を色変換部６３に供給する。そこで、ステップＳ２１において、マイコン１６は、デコーダ部１３により入力された映像信号に対する入力の信号フォーマットの情報に基づいて、その映像信号の入力の信号フォーマットが525iまたは525pであるか否かを判断する。
【００６５】
ステップＳ２１において、その映像信号の入力の信号フォーマットが525iまたは525pであると判断された場合、ステップＳ２２において、マイコン１６は、ユーザにより指定されているＤ端子２１の出力フォーマット設定（図４）に基づいて、その映像信号の出力の信号フォーマットが525iまたは525pであるか否かを判断する。すなわち、Ｄ端子２１の出力フォーマット設定が、Ｄ１端子またはＤ２端子であれば、映像信号の出力の信号フォーマットが525iまたは525pであると判断され、Ｄ端子２１の出力フォーマット設定が、Ｄ３端子またはＤ４端子であれば、映像信号の出力の信号フォーマットが1125iまたは750pである（映像信号の出力の信号フォーマットが525iおよび525pではない）と判断される。
【００６６】
ステップＳ２２において、その映像信号の出力の信号フォーマットが525iおよび525pではないと判断された場合、ステップＳ２３において、色変換部６３は、図１４に示される色変換テーブルに基づいて、映像信号の６０１に規定された色フォーマットから７０９に規定された色フォーマットに色変換する。
【００６７】
ステップＳ２１において、その映像信号の入力の信号フォーマットが525iおよび525pでないと判断された場合、ステップＳ２４において、マイコン１６は、ユーザにより指定されているＤ端子２１の出力フォーマット設定に基づいて、その映像信号の出力の信号フォーマットが525iまたは525pであるか否かを判断し、その映像信号の出力の信号フォーマットが525iまたは525pであると判断された場合、ステップＳ２５において、色変換部６３は、図１４に示される色変換テーブルに基づいて、映像信号の７０９に規定された色フォーマットから６０１に規定された色フォーマットに色変換する。
【００６８】
ステップＳ２２において、その映像信号の出力の信号フォーマットが525iまたは525pであると判断された場合、または、ステップＳ２４において、その映像信号の出力の信号フォーマットが525iおよび525pではないと判断された場合、映像信号の入出力の色フォーマットは同じであるので、色変換は実行されない。
【００６９】
以上の色変換処理について、図１４を参照して詳しく説明する。
【００７０】
図１４は、色変換テーブルの例を示す図である。525iまたは525pの信号フォーマットの場合の色フォーマットは、ＣＣＩＲ（国際無線通信顧問委員会）−ＲＥＣ６０１により規定されており、1125iまたは750pの信号フォーマットの場合の色フォーマットは、ＣＣＩＲ−ＲＥＣ７０９により規定されているため、色変換部６３において、各信号フォーマットの規定に従って色変換が行われる。したがって、入出力の信号フォーマットを比較し、規定されている色フォーマットが異なっている場合のみ色変換が行われる。
【００７１】
図１４の例においては、入力の信号フォーマットが525iまたは525pであり、出力の信号フォーマットが525iまたは525pである場合は、映像信号の色フォーマットは同じであるので、色変換は実行されない。入力の信号フォーマットが525iまたは525pであり、出力の信号フォーマットが1125iまたは750pである場合は、映像信号の色フォーマットが、６０１に規定された色フォーマットから７０９に規定された色フォーマットに変換される。
【００７２】
また、入力の信号フォーマットが1125iまたは750pであり、出力の信号フォーマットが525iまたは525pである場合は、映像信号の色フォーマットが、７０９に規定された色フォーマットから６０１に規定された色フォーマットに変換される。入力の信号フォーマットが1125iまたは750pであり、出力の信号フォーマットが1125iまたは750pである場合は、映像信号の色フォーマットは同じであるので、色変換は実行されない。
【００７３】
次に、図１５のフローチャートに基づいて、テレビジョン受像機１の解像度変換部１９における、解像度変換処理を説明する。以下、図４のＤ端子２１の出力フォーマット設定に基づいて、映像信号の出力の信号フォーマットの解像度変換が実行される。
【００７４】
スイッチ６５は、マイコン１６からの制御信号に応じて、色変換部６３からの映像信号をスイッチ端子６５ａを介して受け取り、または、色変換部６４からの映像信号をスイッチ端子６５ｂを介して受け取り、受け取った映像信号を縮小フィルタ６６に供給する。
【００７５】
そこで、ステップＳ４１において、マイコン１６は、ユーザにより指定されているＤ端子２１の出力フォーマット設定がＤ１端子であるか否かを判断し、Ｄ端子２１の出力フォーマット設定がＤ１端子であると判断した場合、ステップＳ４２において、マイコン１６は、縮小フィルタ６６、メモリ６７および拡大フィルタ６８を制御し、映像信号の出力の信号フォーマットを525iに解像度変換させ、Ｄ／Ａ変換部２０に出力させる。
【００７６】
具体的には、図７を参照して説明したように、例えば、信号フォーマットが1125iの映像信号が入力された場合、縮小フィルタ６６は、有効画像領域を切り出し、525iの信号フォーマットに縮小して、メモリ６７に書き出す。その後、拡大フィルタ６８は、その有効画像領域を、525iの映像信号の所定の位置に配置し、そのまま、Ｄ／Ａ変換部２０に書き出す。
【００７７】
ステップＳ４１において、Ｄ端子２１の出力フォーマット設定がＤ１端子ではないと判断された場合、ステップＳ４３において、マイコン１６は、ユーザにより指定されているＤ端子２１の出力フォーマット設定がＤ２端子であるか否かを判断する。ステップＳ４３において、Ｄ端子２１の出力フォーマット設定がＤ２端子であると判断された場合、ステップＳ４４において、マイコン１６は、縮小フィルタ６６、メモリ６７および拡大フィルタ６８を制御し、映像信号の出力の信号フォーマットを525pに解像度変換させ、Ｄ／Ａ変換部２０に出力させる。
【００７８】
具体的には、図７を参照して説明したように、例えば、信号フォーマットが525iの映像信号が入力された場合、縮小フィルタ６６は、有効画像領域を切り出し、そのまま、メモリ６７に書き出す。その後、拡大フィルタ６８は、その有効画像領域を525pの信号フォーマットに拡大し、525pの映像信号の所定の位置に配置し、Ｄ／Ａ変換部２０に書き出す。
【００７９】
ステップＳ４３において、Ｄ端子２１の出力フォーマット設定がＤ２端子ではないと判断された場合、ステップＳ４５において、マイコン１６は、ユーザにより指定されているＤ端子２１の出力フォーマット設定がＤ３端子であるか否かを判断する。ステップＳ４５において、Ｄ端子２１の出力フォーマット設定がＤ３端子であると判断された場合、ステップＳ４６において、マイコン１６は、縮小フィルタ６６、メモリ６７および拡大フィルタ６８を制御し、映像信号の出力の信号フォーマットを1125iに解像度変換させ、Ｄ／Ａ変換部２０に出力させる。
【００８０】
ステップＳ４５において、Ｄ端子２１の出力フォーマット設定がＤ３端子ではない（すなわち、Ｄ端子２１の出力フォーマット設定がＤ４端子である）と判断された場合、ステップＳ４７において、マイコン１６は、縮小フィルタ６６、メモリ６７および拡大フィルタ６８を制御し、映像信号の出力の信号フォーマットを750pに解像度変換させ、Ｄ／Ａ変換部２０に出力させる。
【００８１】
以上のように、映像信号の入力信号フォーマットに拘らず、各Ｄ端子が対応している最高解像度の出力フォーマットで映像信号を出力するようにしたので、映像信号処理装置のもつ解像度を有効に生かした高画質な表示ができる。さらに、入力される信号フォーマットの変更によりテレビジョン受像機の同期が乱れてしまうことがなくなるため、ユーザの意思とは関係なく、表示画面が一旦変化することが抑制される。
【００８２】
上記説明においては、図４に示されるようなＤ端子２１の出力フォーマットの仕様を用いて説明したが、テレビジョン受像機１においては、図１６に示されるようなＤ端子２１の出力フォーマットの仕様を用いるようにしてもよい。
【００８３】
図１６は、テレビジョン受像機１のＤ端子２１の出力フォーマットの他の仕様例を示す図である。
【００８４】
図１６の例においては、出力フォーマット設定がＤ１端子の場合、入力されるすべての信号フォーマットの映像信号が525iの信号フォーマットで出力され、出力フォーマット設定がＤ２端子の場合、入力されるすべての信号フォーマットの映像信号が525pの信号フォーマットで出力され、出力フォーマット設定がＤ３端子の場合、入力されるすべての信号フォーマットの映像信号が1125iの信号フォーマットで出力される。
【００８５】
また、出力フォーマット設定がＤ４端子の場合、入力される映像信号のうち、750pの信号フォーマットの映像信号が750pの信号フォーマットで出力され、それ以外の信号フォーマットの映像信号が1125iの信号フォーマットで出力される。
【００８６】
次に、上述した図１６のＤ端子２１の出力フォーマット設定に基づいて実行されるテレビジョン受像機１の解像度変換処理の他の例を、図１７のフローチャートを参照して説明する。
【００８７】
ステップＳ６１乃至Ｓ６５の処理は、図１５のステップＳ４１乃至Ｓ４５の処理と同様の処理であり繰り返しになるので、その説明を省略する。
【００８８】
ステップＳ６５において、マイコン１６は、ユーザにより指定されているＤ端子２１の出力フォーマット設定がＤ３端子であるか否かを判断する。ステップＳ６５において、Ｄ端子２１の出力フォーマット設定がＤ３端子ではない（すなわち、Ｄ端子２１の出力フォーマット設定がＤ４端子である）と判断された場合、ステップＳ６６において、デコーダ部１３により入力された映像信号に対する入力の信号フォーマットの情報に基づいて、その映像信号の入力の信号フォーマットが750pであるか否かを判断する。
【００８９】
ステップＳ６６において、その映像信号の入力の信号フォーマットが750pであると判断された場合、ステップＳ６７において、マイコン１６は、縮小フィルタ６６、メモリ６７および拡大フィルタ６８を制御し、映像信号の出力の信号フォーマットを750pに解像度変換させ、Ｄ／Ａ変換部２０に出力させる。
【００９０】
ステップＳ６５において、Ｄ端子２１の出力フォーマット設定がＤ３端子であると判断された場合、または、ステップＳ６６において、その映像信号の入力の信号フォーマットが750pではないと判断された場合、ステップＳ６８において、マイコン１６は、ステップＳ６８において、縮小フィルタ６６、メモリ６７および拡大フィルタ６８を制御し、映像信号の出力の信号フォーマットを1125iに解像度変換させ、Ｄ／Ａ変換部２０に出力させる。
【００９１】
以上により、Ｄ４端子である場合、その映像信号の入力の信号フォーマットが750p以外の場合を1125iに解像度変換させるようにすることにより、インターレース（飛び越し走査）方式とプログレッシブ（順次走査）方式の変換による画質の劣化を抑制でき、さらに、525pを750pに変換したことによる画質の劣化も抑制することができる。
【００９２】
また、テレビジョン受像機１においては、図１８に示されるようなＤ端子２１の出力フォーマットの仕様を用いるようにしてもよい。なお、この場合には、ステップＳ６６において、入力の信号フォーマットが525pまたは750pであるか否かを判断される。
【００９３】
図１８は、テレビジョン受像機１のＤ端子２１の出力フォーマットの他の仕様例を示す図である。図１８の例においては、出力フォーマット設定がＤ１端子の場合、入力されるすべての信号フォーマットの映像信号が525iの信号フォーマットで出力され、出力フォーマット設定がＤ２端子の場合、入力されるすべての信号フォーマットの映像信号が525pの信号フォーマットで出力され、出力フォーマット設定がＤ３端子の場合、入力されるすべての信号フォーマットの映像信号が1125iの信号フォーマットで出力される。
【００９４】
また、出力フォーマット設定がＤ４端子の場合、入力される映像信号のうち、525pまたは750pの信号フォーマットの映像信号が750pの信号フォーマットで出力され、それ以外の信号フォーマットの映像信号が1125iの信号フォーマットで出力される。
【００９５】
以上により、Ｄ４端子である場合のみ、その映像信号の入力の信号フォーマットが525pまたは750p以外の場合を1125iに解像度変換させるようにすることにより、インターレース（飛び越し走査）方式とプログレッシブ（順次走査）方式の変換による画質の劣化を抑制できる。
【００９６】
なお、図１６および１８のＤ端子２１の出力フォーマット設定においても、Ｄ１端子乃至Ｄ３端子の場合は、映像信号処理装置のもつ解像度を有効に生かした高画質な表示ができる。さらに、入力される信号フォーマットの変更によりテレビジョン受像機の同期が乱れてしまうことが抑制される。
【００９７】
以上においては、ＮＴＳＣ（National Television System Committee）方式の場合について説明したが、ＰＡＬ（Phase Alternating Line）方式の場合は、入力の信号フォーマットに拠らず、出力端子の設定に基づいて、625pの信号フォーマットで出力させるようにしてもよい。
【００９８】
本発明は、Ｄ１端子乃至Ｄ４端子に限らず、例えば、Ｄ５端子または他の映像信号出力端子においても適用される。
【００９９】
上述した一連の処理は、ハードウェアにより実行させることもできるが、ソフトウェアにより実行させることもできる。この場合、例えば、テレビジョン受信機１は、図１９に示されるようなテレビジョン受信機１０１により構成される。
【０１００】
図１９において、ＣＰＵ（Central Processing Unit）１１１は、ＲＯＭ(Read Only Memory) １１２に記憶されているプログラム、または、記憶部１１８からＲＡＭ（Random Access Memory）１１３にロードされたプログラムに従って各種の処理を実行する。ＲＡＭ１１３にはまた、ＣＰＵ１１１が各種の処理を実行する上において必要なデータなどが適宜記憶される。
【０１０１】
ＣＰＵ１１１、ＲＯＭ１１２、およびＲＡＭ１１３は、バス１１４を介して相互に接続されている。このバス１１４にはまた、入出力インタフェース１１５も接続されている。
【０１０２】
入出力インタフェース１１５には、キーボード、マウスなどよりなる入力部１１６、ＣＲＴ(Cathode Ray Tube)，ＬＣＤ（Liquid Crystal Display）などよりなるディスプレイ、並びにスピーカなどよりなる出力部１１７、ハードディスクなどより構成される記憶部１１８、モデム、ターミナルアダプタなどより構成される通信部１１９が接続されている。通信部１１９は、図示しないネットワークを介しての通信処理を行う。
【０１０３】
入出力インタフェース１１５にはまた、必要に応じてドライブ１２０が接続され、磁気ディスク１２１、光ディスク１２２、光磁気ディスク１２３、或いは半導体メモリ１２４などが適宜装着され、それから読み出されたコンピュータプログラムが、必要に応じて記憶部１１８にインストールされる。
【０１０４】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０１０５】
この記録媒体は、図１９に示すように、装置本体とは別に、ユーザにプログラムを提供するために配布される、プログラムが記録されている磁気ディスク１２１（フレキシブルディスクを含む）、光ディスク１２２（CD-ROM(Compact Disk-Read Only Memory)，ＤＶＤ(Digital Versatile Disk)を含む）、光磁気ディスク１２３（MD(Mini-Disk)（商標）を含む）、もしくは半導体メモリ１２４などよりなるパッケージメディアにより構成されるだけでなく、装置本体に予め組み込まれた状態でユーザに提供される、プログラムが記録されているＲＯＭ１１２や、記憶部１１８に含まれるハードディスクなどで構成される。
【０１０６】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【０１０７】
【発明の効果】
以上の如く、本発明によれば、映像信号処理装置のもつ解像度を有効に生かした高画質な表示ができる。さらに、本発明によれば、信号フォーマットの変更によりテレビジョン受像機の同期が乱れてしまうことが抑制される。また、本発明によれば、画質の劣化を抑制できる。
【図面の簡単な説明】
【図１】従来の出力端子の出力フォーマットの仕様例を示す図である。
【図２】従来の出力端子の出力フォーマットの他の仕様例を示す図である。
【図３】本発明を適用したテレビジョン受像機の構成例を示すブロック図である。
【図４】図３のテレビジョン受像機の出力端子の出力フォーマットの仕様例を示す図である。
【図５】図３のテレビジョン受像機の変換部の構成例を示すブロック図である。
【図６】図３のテレビジョン受像機の解像度変換部の構成例を示すブロック図である。
【図７】図３のテレビジョン受像機の解像度変換の処理を説明する図である。
【図８】図５のテレビジョン受像機の変換部の信号変換処理を説明するフローチャートである。
【図９】図３のテレビジョン受像機の変換部の信号変換処理を説明する図である。
【図１０】図３のテレビジョン受像機の変換部の信号変換処理を説明する図である。
【図１１】図３のテレビジョン受像機の変換部の信号変換処理を説明する図である。
【図１２】図３のテレビジョン受像機の変換部の信号変換処理を説明する図である。
【図１３】図３のテレビジョン受像機の解像度変換部の色変換処理を説明するフローチャートである。
【図１４】図３のテレビジョン受像機の色変換テーブルを示す図である。
【図１５】図３のテレビジョン受像機の解像度変換部の解像度変換処理を説明するフローチャートである。
【図１６】図３のテレビジョン受像機の出力端子の出力フォーマットの他の仕様例を示す図である。
【図１７】図３のテレビジョン受像機の解像度変換部の解像度変換処理の他の例を説明するフローチャートである。
【図１８】図３のテレビジョン受像機の出力端子の出力フォーマットのさらに他の仕様例を示す図である。
【図１９】図３のテレビジョン受像機の他の構成例を示す図である。
【符号の説明】
１  テレビジョン受像機，１３  デコーダ部，１４，１５  画質調整部，１６  マイコン，１７  入力部，１８  変換部，１９  解像度変換部，２０  Ｄ／Ａ変換部，２１  Ｄ端子，４１  スイッチ，４２  信号変換部，６１，６２  信号入力部，６３，６４  色変換部，６５  スイッチ，６６  縮小フィルタ，６７  メモリ，６８  拡大フィルタ
【図１】
0004182685.tif 000002
【図２】
0004182685.tif 000003
【図３】
0004182685.tif 000004
【図４】
0004182685.tif 000005
【図５】
0004182685.tif 000006
【図６】
0004182685.tif 000007
【図７】
0004182685.tif 000008
【図８】
0004182685.tif 000009
【図９】
0004182685.tif 000010
【図１０】
0004182685.tif 000011
【図１１】
0004182685.tif 000012
【図１２】
0004182685.tif 000013
【図１３】
0004182685.tif 000014
【図１４】
0004182685.tif 000015
【図１５】
0004182685.tif 000016
【図１６】
0004182685.tif 000017
【図１７】
0004182685.tif 000018
【図１８】
0004182685.tif 000019
【図１９】
0004182685.tif 000020